(57)【要約】      （修正有）【課題】家庭用の水耕栽培ユニットは、栽培用養液槽に栽培用誘引棚はなく、その全ての設備や装置が固定化されたもので容易に移動することができなかった。また、その殆どが有色の栽培用養液槽であるため、植物の根部分を観察することが容易でなかった。そして播種や苗の定植時に栽培養液が浸透しにくく、または発芽が安定しやすい培地がなかった。これらの欠点を排除することを課題とする。【解決手段】観賞用植物や食用植物の水耕栽培養液槽を有し、その栽培養液槽が黒色板と透明板で構成し、しかもその栽培養液槽底面下部にキャスターを設け、なお且つ植物本体の成長を安定させるために高さ調整できる伸縮可能な栽培用誘引棚と栽培養液槽を一体化し、更に種植えや苗を植えたとき、栽培養液を浸透しやすいよう無数の小さな穴が開いた円筒状の培地容器に播種用切込みスポンジを備えた。【選択図】図１
2005185265.tif 000002
【特許請求の範囲】
【請求項１】
観賞植物や食用植物用の栽培液肥が入った水耕栽培養液槽と、栽培用誘引棚を一体化させた観賞用移動水耕栽培ユニット。
【請求項２】
第１の請求範囲内において、無色透明な液肥が入った水耕栽培養液槽は循環ポンプにて揚水循環するごとくなされており、揚げられた養液は濾し布を取付けた傾斜パネルを流れて槽内へ再び戻る単純な仕組みで、植物根の生育状況が容易で見易くするように栽培養液槽を底面、背面、上蓋は黒色板で設け、また正面及び両側面の三面を透明板で構成し、植物根の生育状況が観察できる小型水耕栽培ユニット。
【請求項３】
第１の請求範囲内において、水耕栽培ユニットを移動可能にするため栽培養液槽の底面下部にキャスターを設けた小型水耕栽培ユニット。
【請求項４】
第１の請求範囲内において、植物の成長に合わせて栽培の安定を図るため、栽培養液槽本体に高さ調整可能な栽培用誘引棚を設けた小型水耕栽培ユニット。
【請求項５】
第１の請求範囲内において、水耕栽培養液槽の上蓋板は植物体を保持するため無数の穴開いた円筒状の着脱可能な培地容器を設け、その中に栽培養液が吸収しやすいようにスポンジを挿入し、種を播種又は苗を定植して植物の成長を楽しめる小型水耕栽培ユニット。
【発明の詳細な説明】
【技術分野】
【背景技術】
【０００１】
【特許文献１】  特開平９−２８１９５号公報  特開２００２−２７２２８９号公報
【背景技術】
【０００２】  従来から水耕栽培は研究され普及してきたが、最近は農業用大型水耕栽培施設が多くそのほとんどが生鮮食品の野菜栽培が主である。しかし、水耕技術をもっと身近に親しんで頂く、あるいは家庭や職場、学校等で容易に取組める装置があまり見受けられない。またたしかに花卉類の薔薇やユリを水耕技術を生かして取組んでいる施設もあるが、それも商業目的に大型化され、美しい花を家庭や学校、公共施設等の場ではあまり見受けられないのが現状である。
【発明の開示】
【発明が解決しようとする課題】
【０００３】  本発明は、水耕栽培の技術を生かして、比較的長時間にわたり花を咲かせ実を結実させる観賞植物や食用植物の花や葉や実はもちろんのこと、今まで覆い隠されていた根の部分を意識的に観察できる小型水耕栽培ユニットを提供することを第一の目的とする。【０００４】  一旦設置された水耕栽培設備は安易に移動できず固定化され、栽培期間が終了し作物の後片付けあるいは水槽内の養液を排水しないと移動が不可能である。しかし、この発明は植物を定植した状態で、あるいは栽培誘引棚で安定させた状態で、しかも養液を排水することなくどんな場所でも移動が可能な小型水耕栽培ユニットを提供する。【０００５】  水耕栽培の播種や定植の際、どうしても培地の養液浸透がその後の植物生育に影響を及ぼす。しかし、この発明は始めから養液を充分に浸した切込みスポンジに種を植えることができ、また、他の場所からでもこのスポンジで発芽した植物は、この水耕栽培槽にそのまま定植することができる水耕培地容器を持つ小型水耕栽培ユニットを提供する。
【課題を解決するための手段】
【０００６】  本発明は、観賞植物や食用植物の水耕栽培養液槽を有し、その栽培養液槽が黒と透明色の板で構成されているため根部分の観察性に優れ、しかも栽培槽にキャスターを設け移動を可能にし、なお且つ栽培で結実した実や作物本体を安定させるため、伸縮自在な誘引棚を組合わせ一体化した小型水耕栽培ユニットである。【０００７】  本発明は、円状の穴が開いた水耕栽培養液槽の上蓋板に、着脱可能で無数の小さな穴がある円筒状の培地容器に切込みの入ったスポンジを挿入し、播種や定植を楽しみながら安定育成できる小型水耕栽培ユニットである。
【発明の効果】
【０００８】  本発明は以上説明したように構成されているので、以下に記載されているような効果を奏する。【０００９】  本発明は、家庭や学校で植物本体の観賞はもちろんであるが、根部分の観察や成長記録写真が撮れる効果がある。また、部屋あるいは教室から他の場所に配置換えを行いたい時に水耕栽培ユニット本体を容易に移動ができる【００１０】  本発明は、植物体の観賞や観察ばかりではなく、播種や定植を楽しみながら学習することができ、教材にもなり得る水耕栽培ユニット。
【発明を実施するための最良の形態】
【実施例】
【００１１】  水耕栽培ユニットの構造例を第１図に示しながら、発明を実施するための形態について図面を説明すると、栽培養液槽の構成内容は、黒色である底面板１と背面板２に透明色の正面板３と両側面に側面板５を箱型の水槽の如く組合わせ、その上に播種用スポンジを挿入した穴開き培地容器１３を着脱可能にできる上蓋板３を載せかけ、また、養液は栽培養液を循環させる循環ポンプ６により布濾しを取付けた傾斜パネル７に流れ落ちて濾過する仕組みである。【００１２】  栽培養液槽底面板の四方に設けた誘引棚用支柱８に作物の成長にあわせ高さ調整できる誘引棚用伸縮パイプ９を挿入し、その上部に誘引棚用梁パイプ１０を取付け棚型に組み、植物本体や実を安定させるため誘引紐１１を垂らす。さらに、栽培ユニット本体を移動させる時容易に押せる押し手摺１４であり、栽培槽底面板下部に設けたキャスター１２で本体の移動や方向を容易にできる小型水耕栽培ユニットである。
【産業上の利用可能性】
【００１３】  本発明は、観賞植物や食用植物の栽培用養液槽を有し、その養液槽が黒と透明色の板で構成されているため根部分の成長を観察できる。特に学校の教材用として栽培植物の成長過程を学習することができ、教材用器具として実験室から教室あるいは玄関などに容易に移動できることから学習意欲を向上させ得ることがる。また、従来の水耕栽培ユニットは農業用による、大型のシステムが主で、小型といえば家庭用の固定式によるもばかりで、これも栽培槽内の様子や観察は難しく、更に今まで誘引棚と栽培養液槽を一体化した設備や装置がなく移動も容易にでなかった為、学校ばかりでなく、家の玄関や室内または社屋商店のディスプレイに使用でき、本発明の用途は幅広いためその産業上の利益は莫大である。
【図面の簡単な説明】
【００１４】
【図１】は本発明を説明するための正面図と側面図である。
【符号の説明】
１    底面板
２    背面板
３    上蓋板
４    正面板
５    側面板
６    循環ポンプ
７    傾斜パネル
８    誘引棚用支柱
９    誘引棚用伸縮パイプ
１０  誘引棚用梁パイプ
１１  誘引紐
１２  キャスター
１３  培地容器
１４  押し手摺
【図１】
2005185265.tif 000003